(57)【要約】【課題】燃料電池の電位が過度に高まることを防止しながらも、単セルの劣化を抑制することが可能な燃料電池車両を提供する。【解決手段】  第１電流電圧特性において要求電力に対応する電力を発生させる場合の、燃料電池３０の出力電流及び出力電圧からなる第３運転ポイントを算出する。第３運転ポイントにおける出力電圧が上限出力電圧よりも大きい場合は、第１電流電圧特性よりも燃料電池３０の出力電圧が小さく、且つ、単セル３０１の出力電圧が下限出力電圧となる第２電流電圧特性で燃料電池３０を運転させるように燃料ガス及び酸化ガスの少なくとも一方の流量を漸次減少させる。電力消費制御部１０５は、燃料電池３０が第２電流電圧特性で運転している場合は、燃料電池３０が発生させた余剰電力を、駆動力発生部６２で発生させる駆動力に影響を与えることなく機器において消費させる。【選択図】図１
2018198213.tif 000002
【特許請求の範囲】
【請求項１】
複数の単セル（３０１）によって構成された燃料電池（３０）を有する燃料電池車両（１０）であって、
前記複数の単セルのアノード（ＡＮ）に燃料ガスを供給する燃料ガス供給部（３４）と、
前記複数の単セルのカソード（ＣＳ）に酸化ガスを供給する酸化ガス供給部（３３）と、
前記燃料電池が発生させた電力を用いて走行用の駆動力を発生させる駆動力発生部（６２）と、
前記燃料電池に対する要求電力を取得する要求電力取得部（１０４）と、
第１電流電圧特性において、前記要求電力に対応する電力を発生させる場合の、前記燃料電池の出力電流及び出力電圧からなる第３運転ポイントを算出する第３運転ポイント算出部（１０６）と、
前記燃料電池車両に搭載された複数の機器における電力消費を制御する電力消費制御部（１０５）と、を備え、
前記第３運転ポイントにおける出力電圧が上限出力電圧よりも大きい場合は、前記燃料ガス供給部及び酸化ガス供給部の少なくとも一方は、前記第１電流電圧特性よりも前記燃料電池の出力電圧が小さく、且つ、前記単セルの出力電圧が予め定められた下限出力電圧となる第２電流電圧特性で前記燃料電池を運転させるように燃料ガス及び酸化ガスの少なくとも一方の流量を漸次減少させ、
前記電力消費制御部は、前記燃料電池が前記第２電流電圧特性で運転している場合は、前記燃料電池が発生させた余剰電力を、前記駆動力発生部で発生させる駆動力に影響を与えることなく前記機器において消費させることを特徴とする燃料電池車両。
【請求項２】
前記酸化ガス供給部及び前記駆動力発生部の少なくとも一方が、効率を変更可能なモータを有し、
前記電力消費制御部は、該効率の変更によって前記余剰電力を前記モータに消費させることを特徴とする請求項１に記載の燃料電池車両。
【請求項３】
前記モータは、電流ベクトルを変更することで前記効率を変更可能であることを特徴とする請求項２に記載の燃料電池車両。
【発明の詳細な説明】
【技術分野】
【０００１】
本発明は、複数の単セルによって構成された燃料電池を有する燃料電池車両に関する。
【背景技術】
【０００２】
環境意識の高まりなどから、ガソリン等の化石燃料を用いて駆動力を発生させる自動車から、電力を用いて駆動力を発生させる電気自動車への代替が進んでいる。このような電気自動車の一形態として、燃料電池を搭載した燃料電池車両の検討も進められている。
【０００３】
燃料電池車両は、燃料電池のほかにも、燃料電池のアノードに燃料ガスを供給する燃料ガス供給部や、カソードに酸化ガスを供給する酸化ガス供給部を備えている。燃料電池は、これらから供給される燃料ガスと酸化ガスとを用いて電気化学反応を生じさせることで電力を発生させる。燃料電池が発生させた電力は、インバータ等を介して走行用のモータに供給され、当該モータにおいて駆動力の発生に消費される。
【０００４】
ここで、燃料電池の電位が過度に高まると、燃料電池の性能低下を招いてしまうおそれがある。詳述すると、燃料電池のアノード及びカソードには白金等の触媒金属の粒子が分散して担持されているが、燃料電池が高電位となるとこの触媒金属が溶出し、粒子同士が結合して粒径が大きくなる現象が生じる。当該結合によって触媒金属の粒径が大きくなると、燃料ガスや酸化ガスと接触する表面積が減少するため、前述した電気化学反応を適切に生じさせることができなくなってしまう。
【０００５】
これに対し、下記特許文献１には、燃料電池の電位が過度に高まるおそれがある場合に、燃料ガスや酸化ガスの供給量を変更する燃料電池車両が記載されている。具体的には、当該燃料電池車両は、燃料電池に供給する燃料ガスや酸化ガスの流量を減少させることで、燃料電池の出力電圧を低下させるものである。これにより、当該燃料電池車両では、燃料電池の電位が過度に高まることを防止し、性能低下の抑制を図ることが可能とされている。
【先行技術文献】
【特許文献】
【０００６】
【特許文献１】特開２０１２−９４２５７号公報
【発明の概要】
【発明が解決しようとする課題】
【０００７】
ところで、燃料電池では、アノード及びカソードと、それらの間に配置される高分子膜や電解質等と、からなる単セルを複数使用して構成されることが一般的である。各単セルが電気的に直列に接続されることで、燃料電池全体で大きな電力を発生させることが可能となる。燃料ガス供給部及び酸化ガス供給部は、燃料ガス及び酸化ガスを各単セルに分配して供給することによって、各単セルにおいて電気化学反応を生じさせる。
【０００８】
このように複数の単セルによって構成されている燃料電池では、各単セルに供給される燃料ガス及び酸化ガスの流量にばらつきが生じ得る。このため、上記特許文献１に記載された燃料電池車両のように、燃料電池の電位の過度の高まりを防止するために燃料ガスや酸化ガスの供給量の調整を大きく変更すると、それに伴って一部の単セルにおいて燃料ガスや酸化ガスが欠乏し、高分子膜等が著しく劣化してしまうという課題があった。
【０００９】
本発明はこのような課題に鑑みてなされたものであり、その目的は、複数の単セルによって構成された燃料電池を有する燃料電池車両であって、燃料電池の電位が過度に高まることを防止しながらも、単セルの劣化を抑制することが可能な燃料電池車両を提供することにある。
【課題を解決するための手段】
【００１０】
上記課題を解決するために、本発明に係る燃料電池車両は、複数の単セル（３０１）によって構成された燃料電池（３０）を有する燃料電池車両（１０）であって、前記複数の単セルのアノード（ＡＮ）に燃料ガスを供給する燃料ガス供給部（３４）と、前記複数の単セルのカソード（ＣＳ）に酸化ガスを供給する酸化ガス供給部（３３）と、前記燃料電池が発生させた電力を用いて走行用の駆動力を発生させる駆動力発生部（６２）と、前記燃料電池に対する要求電力を取得する要求電力取得部（１０４）と、第１電流電圧特性において、前記要求電力に対応する電力を発生させる場合の、前記燃料電池の出力電流及び出力電圧からなる第３運転ポイントを算出する第３運転ポイント算出部（１０６）と、前記燃料電池車両に搭載された複数の機器における電力消費を制御する電力消費制御部（１０５）と、を備え、前記第３運転ポイントにおける出力電圧が上限出力電圧よりも大きい場合は、前記燃料ガス供給部及び酸化ガス供給部の少なくとも一方は、前記第１電流電圧特性よりも前記燃料電池の出力電圧が小さく、且つ、前記単セルの出力電圧が予め定められた下限出力電圧となる第２電流電圧特性で前記燃料電池を運転させるように燃料ガス及び酸化ガスの少なくとも一方の流量を漸次減少させ、前記電力消費制御部は、前記燃料電池が前記第２電流電圧特性で運転している場合は、前記燃料電池が発生させた余剰電力を、前記駆動力発生部で発生させる駆動力に影響を与えることなく前記機器において消費させる。
【００１１】
本発明では、第３運転ポイントにおける出力電圧が上限出力電圧よりも大きい場合は、第２電流電圧特性で燃料電池を運転させるように燃料ガス及び酸化ガスの少なくとも一方の流量を漸次減少させる。第２電流電圧特性は、第１電流電圧特性よりも燃料電池の出力電圧が小さく、且つ、単セルの出力電圧が予め定められた下限出力電圧となる特性である。そして、燃料電池がこの第２電流電圧特性で運転している場合は、燃料電池が発生させた余剰電力を、駆動力に影響を与えることなく、燃料電池車両に搭載された機器において消費させる。すなわち、本発明よれば、燃料電池の電位が過度に高まるおそれがある場合は、単セルの出力電圧が下限出力電圧となるまでの範囲で酸化ガスや燃料ガスの流量を漸次減少させる。したがって、単セルにおいて燃料ガスや酸化ガスの欠乏が生じることがなく、この結果、燃料電池の電位が過度に高まることを防止しながらも、単セルの劣化を抑制することが可能となる。
【発明の効果】
【００１２】
本発明によれば、複数の単セルによって構成された燃料電池を有する燃料電池車両であって、燃料電池の電位が過度に高まることを防止しながらも、単セルの劣化を抑制することが可能な燃料電池車両を提供することができる。
【図面の簡単な説明】
【００１３】
【図１】本発明の第１実施形態に係る燃料電池車両を示すブロック図である。
【図２】図１の燃料電池を示す模式図である。
【図３】図１の燃料電池の運転ポイントの決定を説明する説明図である。
【図４】電流ベクトルについて説明する説明図である。
【図５】トルクと電流ベクトルとの関係を示す説明図である。
【図６】図１の制御装置が実行する処理の流れを示すフローチャートである。
【図７】図１の制御装置が実行する処理の流れを示すフローチャートである。
【図８】本発明の第２実施形態に係る燃料電池の運転ポイントの決定を説明する説明図である。
【発明を実施するための形態】
【００１４】
以下、添付図面を参照しながら本発明の実施形態について説明する。説明の理解を容易にするため、各図面において同一の構成要素に対しては可能な限り同一の符号を付して、重複する説明は省略する。
【００１５】
まず、図１を参照しながら、本発明の第１実施形態に係る燃料電池車両１０の概略構成について説明する。図１は、燃料電池車両１０が有する各機能をブロックとして図示している。
【００１６】
図１に示されるように、燃料電池車両１０は、電力を消費する機器（負荷）として、走行用モータ６２と、エアポンプ３３と、水素ポンプ３４と、高圧補機４０と、低圧補機４６と、を搭載している。
【００１７】
燃料電池車両１０は、これらの機器に電力を供給する電源として、燃料電池３０及び二次電池２１を搭載している。燃料電池３０は、配線５０に接続されている。二次電池２１は、コンバータ２２を介して配線５０に接続されており、コンバータ２２と燃料電池３０とは、互いに並列に接続されている。
【００１８】
二次電池２１は、鉛蓄電池やニッケル水素蓄電池等、充電及び放電が可能な種々の二次電池によって構成することができる。燃料電池車両１０の減速時には、走行用モータ６２を発電機として用いて、駆動軸６５及び出力軸６３を介して入力される運動エネルギを電気エネルギに変換し、得られた電気エネルギで二次電池２１を充電することができる。
【００１９】
コンバータ２２は、二次電池２１からの出力電圧を調節して配線５０に電力を供給する。コンバータ２２は、二次電池２１と配線５０との電気的な接続を制御するスイッチとしての役割も果たしている。コンバータ２２は、二次電池２１において充電及び放電を行う必要がない場合は、二次電池２１と配線５０とを電気的に切断する。
【００２０】
走行用モータ６２は、電力の供給を受けて動作し、トルク（駆動力）を発生させる電動機である。走行用モータ６２は三相同期モータであって、回転磁界を形成するための三相コイル（不図示）を備えている。走行用モータ６２が発生させるトルクの調整は、電流ベクトルを制御する電流ベクトル制御モードと、矩形波を制御する矩形波制御モードと、を適宜切り替えることによって行う。走行用モータ６２が発生させたトルクは、走行用モータ６２の出力軸６３及び減速ギヤ６４を介して駆動軸６５に伝達されることで、燃料電池車両１０を走行させる。
【００２１】
走行用モータ６２は、駆動インバータ６１を介して二次電池２１や燃料電池３０から電力の供給を受ける。駆動インバータ６１は、走行用モータ６２の各相に対応してスイッチング素子としてのトランジスタ（不図示）を備えるトランジスタインバータである。
【００２２】
エアポンプ３３と、水素ポンプ３４は、それぞれ三相同期モータ（不図示）を有しており、当該モータが制御装置１００から制御信号を受信することで動作する。エアポンプ３３は、外部から空気を取り入れて燃料電池３０に供給する。また、水素ポンプ３４は、水素タンク３５に貯留されている水素ガスを燃料電池３０に供給する。
【００２３】
高圧補機４０は、二次電池２１や燃料電池３０から供給される電力を、３００Ｖ程度の電圧のまま利用する装置である。高圧補機４０に含まれる補機としては、燃料電池３０を冷却するために燃料電池３０の内部に冷媒を循環させるための冷媒ポンプ（不図示）やラジエータファン（不図示）が挙げられる。また、燃料電池３０の運転に関与しない高圧補機４０としては、例えば燃料電池車両１０の車室内の温度調整を行う空調装置（不図示）等が挙げられる。
【００２４】
低圧補機４６は、走行用モータ６２や高圧補機４０とは異なり駆動電圧が低い負荷である。低圧補機４６には、配線５０に接続された降圧コンバータ４４によって電圧を１２Ｖ程度まで下げられた電力が供給される。低圧補機４６に含まれる補機としては、燃料電池３０に燃料ガス、酸化ガス、冷却水等を供給したり排出したりする流路に設けられた各種バルブが挙げられる。また、燃料電池３０の運転に関与しない低圧補機４６としては、例えば、ハザードランプや方向指示器が挙げられる。
【００２５】
次に、制御装置１００について説明する。制御装置１００は、その一部又は全部が、アナログ回路で構成されるか、デジタルプロセッサとして構成される。いずれにしても、受信した信号に基づいて制御信号を出力する機能を果たすため、制御装置１００には機能的な制御ブロックが構成される。
【００２６】
図１は、制御装置１００を、機能的な制御ブロック図として示している。尚、制御装置１００を構成するアナログ回路又はデジタルプロセッサに組み込まれるソフトウェアのモジュールは、必ずしも図１に示す制御ブロックに分割されている必要はなく、複数の制御ブロックの働きをするものとして構成されていても構わず、更に細分化されていても構わない。後述する処理を実行できるように構成されていれば、制御装置１００の内部の実際の構成は当業者が適宜変更できるものである。
【００２７】
制御装置１００は、二次電池２１や燃料電池３０等の各車両搭載機器と電気的に接続された電子機器である。制御装置１００は、二次電池２１の充放電及び燃料電池３０の発電だけでなく、各車両搭載機器に制御信号を送信して制御を行なう。制御装置１００は、第１運転ポイント算出部１０１と、第２運転ポイント算出部１０２と、運転ポイント選択部１０３と、要求電力取得部１０４と、電力消費制御部１０５と、を有している。
【００２８】
第１運転ポイント算出部１０１は、所定電流電圧特性において、燃料電池３０への要求電力に対応する電力を発生させるための燃料電池３０の出力電流及び出力電圧からなる第１運転ポイントを算出する部分である。すなわち、燃料電池３０の出力電流及び出力電圧を変更すると、それに伴って燃料電池３０の出力電力が変化するところ、第１運転ポイント算出部１０１は、燃料電池３０の出力電力が要求電力と一致するような第１運転ポイント（出力電圧、出力電流）を算出する。
【００２９】
第２運転ポイント算出部１０２は、所定電流電圧特性において、要求電力以上の電力を発生させるとともに燃料電池３０の電位が過度に高まることを防止するための燃料電池３０の上限出力電圧及び出力電流からなる第２運転ポイントを算出する部分である。ここでの所定電流電圧特性とは、第１運転ポイント算出部１０１が第１運転ポイントを算出する際の電流電圧特性と同一のものである。
【００３０】
運転ポイント選択部１０３は、所定電流電圧特性において、燃料電池３０を運転させる出力電圧及び出力電流からなる運転ポイントを選択する部分である。ここでの所定電流電圧特性とは、第１運転ポイント算出部１０１が第１運転ポイントを算出する際の電流電圧特性と同一のものである。
【００３１】
要求電力取得部１０４は、燃料電池３０への要求電力を取得する部分である。具体的には、要求電力取得部１０４は、燃料電池車両１０の走行状態や、空調装置等の車両搭載機器の動作状態に基づいて所定の演算を行い、燃料電池３０に要求する電力を算出する。前述した第１運転ポイント算出部１０１や第２運転ポイント算出部１０２は、この要求電力取得部１０４によって取得された要求電力に基づいて第１運転ポイントや第２運転ポイントの算出を行う。
【００３２】
電力消費制御部１０５は、各車両搭載機器における電力の消費を制御する部分である。電力消費制御部１０５は、燃料電池車両１０の走行や車室内の空調に必要となる電力を各車両搭載機器に消費させるだけでなく、後述するように、燃料電池３０が発電した余剰電力を消費させる。
【００３３】
続いて、図２を参照しながら、燃料電池３０の構成について詳述する。燃料電池３０は、固体高分子形燃料電池（Polymer Electrolyte Fuel Cell、PEFC）と称される発電装置である。燃料電池３０は、複数の単セル３０１によって構成されている。燃料電池３０は、複数の単セル３０１を積層するとともに、直列接続することで構成されている。このように構成された燃料電池３０は「セルスタック」とも称される。
【００３４】
各単セル３０１は、アノードＡＮと、カソードＣＳと、膜／電極接合体（Membrane Electrode Assembly、以下「ＭＥＡ」と称する）と、を有している。図２では、燃料電池３０の端部の単セル３０１のみアノードＡＮ、カソードＣＳ及びＭＥＡを図示し、他の単セル３０１についてはこれらの図示を省略している。
【００３５】
各単セル３０１のアノードＡＮとカソードＣＳとは、ＭＥＡを挟んで互いに対向するように配置されている。ＭＥＡを構成する電解質膜は、固体高分子材料、例えばフッ素系樹脂により形成された水素イオン伝導性のイオン交換膜であり、湿潤状態で良好な電気伝導性を示す。アノードＡＮ及びカソードＣＳは、この電解質膜上に形成された層であり、電気化学反応を進行する触媒金属（例えば白金）を担持するカーボン粒子と、水素イオン伝導性を有する高分子電解質と、を備えている。
【００３６】
燃料電池３０の端部の単セル３０１には、酸化ガス導入口３１１が形成されている。燃料電池３０の内部には、酸化ガス導入口３１１から単セル３０１の積層方向に沿って延びるようにして、酸化ガス分配流路３１２が形成されている。さらに、燃料電池３０の端部の単セル３０１には、燃料ガス導入口３２１が形成されている。燃料電池３０の内部には、燃料ガス導入口３２１から単セル３０１の積層方向に沿って延びるようにして、燃料ガス分配流路３２２が形成されている。
【００３７】
また、燃料電池３０の端部の単セル３０１には、酸化ガス排出口３１４が形成されている。燃料電池３０の内部には、単セル３０１の積層方向に沿って酸化ガス排出口３１４に向かって延びるようにして、酸化ガス回収流路３１３が形成されている。さらに、燃料電池３０の端部の単セル３０１には、燃料ガス排出口３２４が形成されている。燃料電池３０の内部には、単セル３０１の積層方向に沿って燃料ガス排出口３２４に向かって延びるようにして、燃料ガス回収流路３２３が形成されている。
【００３８】
以上のように構成された燃料電池３０は、エアポンプ３３から酸化ガスの供給を受け、水素ポンプ３４から燃料ガスの供給を受ける。詳細には、エアポンプ３３によって供給される空気中の酸素が酸化ガスとして機能し、水素ポンプ３４によって供給される水素ガスが燃料ガスとして機能する。供給された酸化ガス、燃料ガスは、それぞれ酸化ガス導入口３１１、燃料ガス導入口３２１から燃料電池３０の内部に導入される。
【００３９】
酸化ガス導入口３１１から燃料電池３０の内部に導入された酸化ガスは、酸化ガス分配流路３１２を流れ、各単セル３０１のカソードＣＳに分配して供給される。また、燃料ガス導入口３２１から燃料電池３０の内部に導入された燃料ガスは、燃料ガス分配流路３２２を流れ、各単セル３０１のアノードＡＮに分配して供給される。
【００４０】
各単セル３０１の内部では、酸化ガス及び燃料ガスがＭＥＡを挟んで流れることで、電気化学反応が生じる。アノードＡＮにおいては、水素ガスが水素イオンと電子とに分解され、水素イオンはＭＥＡを通過してカソードＣＳに移動するとともに、電子は導線を介してカソードＣＳに移動する。一方、カソードＣＳにおいては、ＭＥＡから移動してきた水素イオンと、導線を介して移動してきた電子が空気中の酸素と反応し、水が生成される。
【００４１】
各単セル３０１の内部を流れた酸化ガス、燃料ガスは、それぞれ酸化ガス回収流路３１３、燃料ガス回収流路３２３に流入する。各単セル３０１の内部を流れた酸化ガスは、酸化ガス回収流路３１３において合流し、酸化ガス排出口３１４から燃料電池３０の外部に排出される。また、各単セル３０１の内部を流れた燃料ガスは、燃料ガス回収流路３２３において合流し、燃料ガス排出口３２４から燃料電池３０の外部に排出される。
【００４２】
燃料電池３０では、以上のような電気化学反応に伴って電子を移動させる発電が行われる。燃料電池３０が出力できる電力は、エアポンプ３３や水素ポンプ３４によって供給される酸化ガスや燃料ガスの流量に基づいて決まる。
【００４３】
続いて、図３を参照しながら、燃料電池３０を運転させる出力電流及び出力電圧からなる運転ポイントの選択について説明する。図３は、出力電流、出力電圧及び出力電力の関係からなる燃料電池３０の特性を示すデータであり、当該データは、制御装置１００が有するメモリ（不図示）に格納されている。制御装置１００は、当該メモリに格納されているデータを適宜参照することによって運転ポイントの選択を行う。尚、以下では簡便のため、詳細には制御装置１００の第１運転ポイント算出部１０１等の各部分によって行われる処理も、総括して制御装置１００が行うとして説明する。
【００４４】
図３に示されるように、燃料電池３０の電流電圧特性は、出力電流の増加に伴って出力電圧が減少するような曲線となる。一方、当該電流電圧特性に対応する燃料電池３０の出力電力は、出力電流の増加に伴って増加するような曲線となる。
【００４５】
まず、燃料電池３０への要求電力がＰＲ１である場合の、制御装置１００による第１運転ポイントＯＰ１１の算出について説明する。この場合、燃料電池３０の出力電流は、出力電流の曲線と要求電力ＰＲ１の直線との交点Ｃ１１に対応するＩ１１となる。また、この場合の燃料電池３０の出力電圧は、電流電圧特性の曲線と出力電流Ｉ１１の直線との交点に対応するＶ１１となる。すなわち、制御装置１００は、出力電流Ｉ１１及び出力電圧Ｖ１１を、要求電力ＰＲ１に対応する電力を発生させるための燃料電池３０の第１運転ポイントＯＰ１１として算出する。
【００４６】
次に、制御装置１００における第２運転ポイントＯＰ２の算出について説明する。この第２運転ポイントＯＰ２は、燃料電池３０の電位が過度に高まることを防止するための燃料電池３０の出力電流及び出力電圧からなるものである。ここでの出力電圧は、上限出力電圧ＶＦＣに設定される。すなわち、上限出力電圧ＶＦＣは、燃料電池３０の出力電圧がその値を上回ることで、単セル３０１の性能低下が懸念される閾値である。
【００４７】
したがって、第２運転ポイントＯＰ２は、電流電圧特性の曲線と上限出力電圧ＶＦＣの直線との交点となる。すなわち、出力電流ＩＦＣ及び出力電圧ＶＦＣを、燃料電池３０の電位が過度に高まることを防止するための燃料電池３０の第２運転ポイントＯＰ２として算出する。
【００４８】
ここで、第１運転ポイントＯＰ１１の出力電圧Ｖ１１は、上限出力電圧ＶＦＣよりも大きい。したがって、要求電力ＰＲ１に対応する電力を発生させるために、燃料電池３０を第１運転ポイントＯＰ１１（出力電流Ｉ１１、出力電圧Ｖ１１）で運転させると、燃料電池３０の電位が過度に高まり、単セル３０１の性能低下が懸念される。したがって、この場合、制御装置１００は、第１運転ポイントＯＰ１１ではなく、第２運転ポイントＯＰ２（出力電流ＩＦＣ、出力電圧ＶＦＣ）を、燃料電池３０を運転させる運転ポイントとして選択する。
【００４９】
燃料電池３０を第２運転ポイントＯＰ２（出力電流ＩＦＣ、出力電圧ＶＦＣ）で運転させることで、燃料電池３０は要求電力ＰＲ１よりも大きな電力を出力することとなる。つまり、燃料電池３０を第２運転ポイントＯＰ２で運転させると、その出力電力は、出力電流の曲線と出力電流ＩＦＣの直線との交点Ｃ２に対応するＰＦＣとなる。すなわち、燃料電池３０は、要求電力ＰＲ１よりもΔＰ１だけ大きいＰＦＣの電力を出力することとなる。したがって、その差分（ＰＦＣ−ＰＲ１）であるΔＰ１が余剰電力となる。
【００５０】
制御装置１００は、この余剰電力ΔＰ１を、走行用モータ６２で発生させるトルクに影響を与えることなく、車両搭載機器において消費させる。すなわち、制御装置１００は、余剰電力ΔＰ１の電気エネルギを、走行用モータ６２における運動エネルギへの変換に用いることなく消費し、燃料電池３０の出力電力が実質的に要求電力ＰＲ１と一致するように調整する。
【００５１】
これに対し、燃料電池３０への要求電力がＰＲ２である場合、燃料電池３０の出力電流は、出力電力の曲線と要求電力ＰＲ２の直線との交点Ｃ１２に対応するＩ１２となる。また、この場合の燃料電池３０の出力電圧は、電流電圧特性の曲線と出力電流Ｉ１２の直線との交点に対応するＶ１２となる。すなわち、制御装置１００は、出力電流Ｉ１２及び出力電圧Ｖ１２を、要求電力ＰＲ２に対応する電力を発生させるための燃料電池３０の第１運転ポイントＯＰ１２として算出する。
【００５２】
この場合の第１運転ポイントＯＰ１２の出力電圧Ｖ１２は、上限出力電圧ＶＦＣよりも小さい。したがって、要求電力ＰＲ２に対応する電力を発生させるために、燃料電池３０を第１運転ポイントＯＰ１２（出力電流Ｉ１２、出力電圧Ｖ１２）で運転させても、燃料電池３０の電位が過度に高まる懸念はない。したがって、この場合、制御装置１００は、第１運転ポイントＯＰ１２を、燃料電池３０を運転させる運転ポイントとして選択する。
【００５３】
燃料電池３０を第１運転ポイントＯＰ１２（出力電流Ｉ１２、出力電圧Ｖ１２）で運転させることで、燃料電池３０では要求電力ＰＲ１に対応する電力が出力されることとなる。すなわち、燃料電池３０が出力する余剰電力は無い。
【００５４】
以上のように、本第１実施形態では、燃料電池３０を上限出力電圧ＶＦＣで運転させる第２運転ポイントＯＰ２では、燃料電池３０が発生させた余剰電力ΔＰ１を、トルクに影響を与えることなく、燃料電池車両１０に搭載された機器において消費させる。したがって、本第１実施形態によれば、燃料電池３０の電位が過度に高まることを防止するために酸化ガスや燃料ガスの流量を大きく変更する必要がないため、単セル３０１において燃料ガスや酸化ガスの欠乏が生じることがない。このため、燃料電池３０の電位が過度に高まることを防止しながらも、単セル３０１の劣化を抑制することが可能となる。
【００５５】
続いて、図４及び図５を参照しながら、余剰電力の消費について説明する。ここでは、走行用モータ６２（図１参照）において発生させるトルクに影響を与えることなく、走行用モータ６２で余剰電力を消費させる場合について説明する。
【００５６】
具体的には、制御装置１００は、電流ベクトルの制御によって、走行用モータ６２において余剰電力を消費させる。走行用モータ６２に供給される電力の電流振幅と、ｑ軸電流と、ｄ軸電流と、の関係は、図４のように示される。ｑ軸から電気角θ１で傾斜するベクトルとして示される電流振幅Ａ１を、ｑ軸側に投影した成分Ｉｑがｑ軸電流となるのに対し、電流振幅Ａ１をｄ軸側に投影した成分Ｉｄ１がｄ軸電流となる。このうち、ｑ軸電流は走行用モータ６２におけるトルクの発生に寄与し得る成分であるのに対して、ｄ軸電流は当該トルク発生に寄与せず、熱エネルギ等に変換されて消費される。
【００５７】
したがって、走行用モータ６２において発生させるトルクに影響を与えることなく、走行用モータ６２で余剰電力を消費させる場合、ｑ軸側の成分を変化させることなく、ｄ軸側の成分を増加させるように、電流ベクトルの制御を行えばよい。換言すれば、走行用モータ６２の効率（走行用モータ６２に供給される電力に対する、発生トルクの割合）を低下させることによって、走行用モータ６２において余剰電力を消費させることができる。具体的には、図４に示されるように、電流振幅をＡ１からＡ２に増加させるとともに、電気角もθ１からθ２に増加させることで、ｑ軸側の成分はＩｑで一定にしたまま、ｄ軸側の成分をＩｄ１からＩｄ２に増加させることができる。
【００５８】
図５に基づいて、この電流ベクトルの制御についてさらに説明する。燃料電池車両１０のある走行状態において、走行用モータ６２が出力する必要があるトルクがＴｒであった場合について考える。その際、電流振幅が１００［Ａｒｍｓ］であったとすると、電気角は、電流振幅１００［Ａｒｍｓ］の曲線とトルクＴｒの直線との交点Ｃｔに対応するθａとなる。
【００５９】
ここで、走行用モータ６２において余剰電力を消費する必要が生じた場合、制御装置１００は、前述したように、電気角をθａからθｂに増加させる。しかしながら、電流振幅１００［Ａｒｍｓ］のままでは、電気角をθｂにした場合に走行用モータ６２が発生させるトルクはＴｒ１となり、必要トルクＴｒに満たないものとなってしまう。
【００６０】
そこで、制御装置１００は、走行用モータ６２が発生させるトルクがＴｒとなるように、電流振幅を増加させる。図５に示される例では、電流振幅を２００［Ａｒｍｓ］に増加させることによって、電気角θｂにおいて走行用モータ６２が発生させるトルクがＴｒに達する。電流振幅が増加したことにより、走行用モータ６２で消費される電力が増加することとなる。
【００６１】
続いて、図６及び図７を参照しながら、制御装置１００において実行される処理の流れについて説明する。
【００６２】
まず、制御装置１００は、図６のステップＳ１１で、燃料電池３０への要求電力を取得する。前述したように、当該要求電力は、燃料電池車両１０の走行状態や、空調装置等の車両搭載機器の動作状態に基づいて、制御装置１００が所定の演算を行って算出するものである。
【００６３】
次に、制御装置１００は、ステップＳ１２で、第１運転ポイントの算出を行う。前述したように、制御装置１００は、燃料電池３０の出力電力が要求電力と一致するような第１運転ポイントを算出する。
【００６４】
次に、制御装置１００は、ステップＳ１３で、第２運転ポイントの算出を行う。前述したように、制御装置１００は、出力電圧を上限出力電圧ＶＦＣに設定して第２運転ポイントを算出する。
【００６５】
次に、制御装置１００は、ステップＳ１４で、第１運転ポイントの出力電圧が上限出力電圧ＶＦＣよりも大きいか否かを判定する。第１運転ポイントの出力電圧が上限出力電圧ＶＦＣよりも大きいと判定した場合（Ｓ１４：Ｙｅｓ）、制御装置１００は、ステップＳ１５の処理に進む。
【００６６】
次に、制御装置１００は、ステップＳ１５で、温度によるモータ出力制限が無いか否かを判定する。余剰電力を消費させることによって走行用モータ６２が発熱し、その温度が過度に高まると、走行用モータ６２の損傷を招くおそれがある。このため、制御装置１００は、ステップＳ１５において、走行用モータ６２が既に高温となっており、余剰電力の消費によってこのような損傷を招くおそれが無いか否かを判定する。温度によるモータ出力制限が無いと判定した場合（Ｓ１５：Ｙｅｓ）、すなわち、走行用モータ６２が高温となっておらず、余剰電力の消費が可能であると判定した場合、制御装置１００は、ステップＳ１６の処理に進む。
【００６７】
次に、制御装置１００は、ステップＳ１６で、走行用モータ６２が電流ベクトル制御モードで制御されているか否かを判定する。走行用モータ６２が電流ベクトル制御モードで制御されていると判定した場合（Ｓ１６：Ｙｅｓ）、制御装置１００は、ステップＳ１７の処理に進む。
【００６８】
次に、制御装置１００は、ステップＳ１７で、燃料電池３０を運転させる運転ポイントとして第２運転ポイントを選択する。すなわち、第１運転ポイントで燃料電池３０を運転させた場合、燃料電池３０の電位が過度に高まって単セル３０１が劣化する懸念があることから、制御装置１００は、燃料電池３０を第２運転ポイントで運転させることを選択する。
【００６９】
次に、制御装置１００は、ステップＳ１８で、燃料電池３０を第２運転ポイントで運転させた際に出力される余剰電力を消費する処理を実行する。このステップＳ１８において実行される処理について、図７を参照しながら説明する。
【００７０】
まず、制御装置１００は、図７のステップＳ２１で、余剰電力の算出を行う。前述した図３に示される例では、出力電力ＰＦＣと出力電力ＰＲ１との差分から、余剰電力ΔＰ１を算出する。
【００７１】
次に、制御装置１００は、ステップＳ２２で、電気角と電流振幅を調整する。すなわち、制御装置１００は、前述したように走行用モータ６２が発生させるトルクを必要トルクとしながら、電気角と電流振幅の調整によって走行用モータ６２で消費される電力を変更し、燃料電池３０の出力電力が実質的に要求電力と一致するように調整する。
【００７２】
再び図６を参照しながら説明を続ける。ステップＳ１４で、第１運転ポイントの出力電圧が上限出力電圧ＶＦＣよりも大きくないと判定した場合（Ｓ１４：Ｎｏ）、制御装置１００は、ステップＳ１９の処理に進む。また、ステップＳ１５で、温度によるモータ出力制限があると判定した場合（Ｓ１５：Ｎｏ）、すなわち、走行用モータ６２が既に高温となっており、余剰電力の消費が不可能であると判定した場合も、制御装置１００は、ステップＳ１９の処理に進む。さらに、ステップＳ１６で、走行用モータ６２が電流ベクトル制御モードで制御されていないと判定した場合（Ｓ１６：Ｎｏ）、すなわち、走行用モータ６２が矩形波制御モードで制御されていると判定した場合も、制御装置１００は、ステップＳ１９の処理に進む。
【００７３】
次に、制御装置１００は、ステップＳ１９で、燃料電池３０を運転させる運転ポイントとして第１運転ポイントを選択する。この場合、燃料電池３０において余剰電力は発生しない。
【００７４】
ところで、走行用モータ６２が既に高温となっている場合や、走行用モータ６２が矩形波制御モードで制御されている場合に余剰電力を消費する他の方法として、当該余剰電力を二次電池２１の充電に使用するものが考えられる。しかしながら、この場合、二次電池２１が過充電となり、より甚大な損傷を招くおそれがある。
【００７５】
そこで、制御装置１００は、ステップＳ１９で、燃料電池３０を運転させる運転ポイントとして第１運転ポイントを選択し、余剰電力を発生させることなく燃料電池３０を運転させる。これにより、燃料電池３０が高電位となり性能低下が懸念される場合でも、走行用モータ６２や二次電池２１の保護を優先させる。
【００７６】
以上のように、本第１実施形態では、走行用モータ６２が効率を変更可能なモータであり、その効率の変更によって余剰電力を走行用モータ６２に消費させる。したがって、余剰電力の消費のみに用いる機器を燃料電池車両１０に搭載する必要がなく、燃料電池車両１０の小型化や製造コスト等の点で有利となる。
【００７７】
尚、本第１実施形態では、走行用モータ６２を効率が変更可能なモータとし、走行用モータ６２に余剰電力を消費させているが、本発明はこれに限定されるものではない。例えば、エアポンプ３３が有するモータを効率が変更可能なものとし、走行用モータ６２に代えて、又は、走行用モータ６２に加えて、エアポンプ３３のモータにおいても余剰電力を消費させるように構成してもよい。
【００７８】
また、本第１実施形態では、電流ベクトルを制御することで、走行用モータ６２の効率を変更可能としている。これにより、制御装置１００における制御を簡便なものとしながらも、走行用モータ６２やエアポンプ３３のモータにおいて、余剰電力を確実に消費させることが可能となる。
【００７９】
次に、本発明の第２実施形態について、図８を参照しながら説明する。本第２実施形態は、制御装置１００が第３運転ポイント算出部１０６（図１参照）を有しており、その制御が前述した第１実施形態と異なる。第１実施形態と同一の構成については同一の符号を用いて、重複する説明は適宜省略する。
【００８０】
第３運転ポイント算出部１０６は、所定の電流電圧特性において、燃料電池３０への要求電力に対応する電力を発生させるための燃料電池３０の出力電流及び出力電圧からなる第３運転ポイントを算出する部分である。本第２実施形態においては、第３運転ポイント算出部１０６は、第１電流電圧特性において、燃料電池３０が発生させる電力が要求電力と一致するような第３運転ポイント（出力電圧、出力電流）を算出する。
【００８１】
図８には、燃料電池３０の電流電圧特性と出力特性とが２つずつ図示されている。このうち対応する電流電圧特性と出力特性は、同一の線種（実線、破線）で図示されている。燃料電池３０がいずれの電流電圧特性で運転するかは、燃料電池３０に供給される酸化ガス及び燃料ガスの流量に基づいて決まる。
【００８２】
燃料電池３０が実線で図示される第１電流電圧特性で運転している場合、燃料電池３０への要求電力がＰＲ３となると、燃料電池３０の出力電流は、第１電流電圧特性における出力電力の曲線と要求電力ＰＲ３の直線との交点Ｃ３に対応するＩ３となる。また、このときの燃料電池３０の出力電圧は、第１電流電圧特性の曲線と出力電流Ｉ３の直線との交点に対応するＶ３となる。すなわち、制御装置１００は、出力電流Ｉ３及び出力電圧Ｖ３を、要求電力ＰＲ３に対応する電力を発生させるための燃料電池３０の第３運転ポイントＯＰ３として算出する。
【００８３】
ここで、第３運転ポイントＯＰ３の出力電圧Ｖ３は、上限出力電圧ＶＦＣよりも大きい。したがって、要求電力ＰＲ３に対応する電力を発生させるために燃料電池３０を第３運転ポイントＯＰ３（出力電流Ｉ３、出力電圧Ｖ３）で運転させると、燃料電池３０の電位が過度に高まり、単セル３０１の性能低下が懸念される。
【００８４】
そこで、制御装置１００は、燃料電池３０を第２電流電圧特性で運転させるように、燃料電池３０に供給する燃料ガス及び酸化ガスの少なくとも一方を漸次減少させる。この第２電流電圧特性は、第１電流電圧特性よりも燃料電池３０の出力電圧が小さく、且つ、単セル３０１の出力電圧が予め定められた下限出力電圧となるものである。
【００８５】
燃料電池３０が破線で図示される第２電流電圧特性で運転している場合、要求電力ＰＲ３に対応する燃料電池３０の出力電流は、第２電流電圧特性における出力電力の曲線と要求電力ＰＲ３の直線との交点Ｃ４に対応するＩ４となる。また、このときの燃料電池３０の出力電圧は、第２電流電圧特性の曲線と出力電流Ｉ４の直線との交点に対応するＶ４となる。この出力電流Ｉ４及び出力電圧Ｖ４を、燃料電池３０の第４運転ポイントＯＰ４と称する。
【００８６】
ここで、第４運転ポイントＯＰ４の出力電圧Ｖ４は、なおも上限出力電圧ＶＦＣよりも大きい。したがって、要求電力ＰＲ３に対応する電力を発生させるために燃料電池３０を第４運転ポイントＯＰ４（出力電流Ｉ４、出力電圧Ｖ４）で運転させた場合も、燃料電池３０の電位の過度に高まりと、単セル３０１の性能低下が懸念される。
【００８７】
そこで、制御装置１００は、第２電流電圧特性の曲線と上限出力電圧ＶＦＣとの交点に対応する運転ポイントで燃料電池３０を運転させる。すなわち、出力電流ＩＦＣ及び出力電圧ＶＦＣを、燃料電池３０の電位が過度に高まることを防止するための燃料電池３０の第５運転ポイントＯＰ５として算出する。
【００８８】
燃料電池３０を第５運転ポイントＯＰ５（出力電流ＩＦＣ、出力電圧ＶＦＣ）で運転させることで、燃料電池３０では要求電力ＰＲ３よりも大きな電力が出力されることとなる。つまり、燃料電池３０を第５運転ポイントＯＰ５で運転させると、その出力電力は、第２電流電圧特性における出力電力の曲線と出力電流ＩＦＣの直線との交点Ｃ５に対応するＰＦＣとなる。すなわち、燃料電池３０は、要求電力ＰＲ３よりもΔＰ２だけ大きいＰＦＣの電力を出力することとなる。したがって、その差分（ＰＦＣ−ＰＲ３）であるΔＰ２が余剰電力となる。
【００８９】
制御装置１００は、この余剰電力ΔＰ２を、走行用モータ６２で発生させるトルクに影響を与えることなく、車両搭載機器において消費させる。すなわち、制御装置１００は、余剰電力ΔＰ２の電気エネルギを、走行用モータ６２における運動エネルギへの変換に用いることなく消費し、燃料電池３０の出力電力が実質的に要求電力ＰＲ３と一致するように調整する。
【００９０】
以上のように、本第２実施形態では、第３運転ポイントＯＰ３における出力電圧Ｖ３が上限出力電圧ＶＦＣよりも大きい場合は、第２電流電圧特性で燃料電池３０を運転させるように燃料ガス及び酸化ガスの少なくとも一方の流量を漸次減少させる。第２電流電圧特性は、第１電流電圧特性よりも燃料電池の出力電圧が小さく、且つ、単セル３０１の出力電圧が予め定められた下限出力電圧となる特性である。そして、燃料電池３０がこの第２電流電圧特性で運転している場合は、燃料電池３０が発生させた余剰電力ΔＰ２を、トルクに影響を与えることなく、燃料電池車両１０に搭載された機器において消費させる。すなわち、本第２実施形態によれば、燃料電池３０の電位が過度に高まるおそれがある場合は、単セル３０１の出力電圧が下限出力電圧となるまでの範囲で酸化ガスや燃料ガスの流量を漸次減少させる。したがって、単セル３０１において燃料ガスや酸化ガスの欠乏が生じることがなく、この結果、燃料電池３０の電位が過度に高まることを防止しながらも、単セル３０１の劣化を抑制することが可能となる。
【００９１】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。前述した各具体例が備える各要素およびその配置、材料、条件、形状、サイズなどは、例示したものに限定されるわけではなく適宜変更することができる。
【００９２】
例えば、上記実施形態では、効率を変更するモータとして三相同期モータを用いているが、本発明はこれに限定されるものではない。三相同期モータに代えて、例えば誘導電動機を用いることも可能である。この場合、誘導電動機における力率（皮相電力に対する有効電力の比）を適宜変更することで効率を変更し、消費する電力の調整を行うことが可能となる。
【符号の説明】
【００９３】
１０：燃料電池車両
３０：燃料電池
３３：エアポンプ
３４：水素ポンプ
６２：走行用モータ（駆動力発生部）
１０１：第１運転ポイント算出部
１０２：第２運転ポイント算出部
１０３：運転ポイント選択部
１０４：要求電力取得部
１０５：電力消費制御部
１０６：第３運転ポイント算出部
３０１：単セル
ＡＮ  ：アノード
ＣＳ  ：カソード
【図１】
2018198213.tif 000003
【図２】
2018198213.tif 000004
【図３】
2018198213.tif 000005
【図４】
2018198213.tif 000006
【図５】
2018198213.tif 000007
【図６】
2018198213.tif 000008
【図７】
2018198213.tif 000009
【図８】
2018198213.tif 000010